(57)【要約】      （修正有）【課題】回胴式遊技機の着脱を容易に行うことができ、しかも回胴式遊技機の本体枠や島台の支持枠の損傷を防止して再利用することのできる遊技機設置島台を提供する。【解決手段】島台５０にスロットマシーン１の上部を固定する上部固定装置８０と、スロットマシーン１の下部を固定するスライド固定装置６０を設ける。上部固定装置８０は、固定ボルトを手動で回転して押圧板でスロットマシーン１の上端面を押圧することにより島台５０にスロットマシーン１の上部を固定する。スライド固定装置６０は、天板３５上に設けられたレールと係合して島台５０の前後方向にスライド固定装置６０を進退自在に移動させるスライド機構を有し、スロットマシーン１の底板の前端部に係合する係合突起と、固定ボルトを手動で回転してスロットマシーン１の背面を押圧する押圧板とで、スロットマシーン１を挟持することにより島台５０にスロットマシーン１の下部を固定する。【選択図】図１１
0003178442.tif 000002
【実用新案登録請求の範囲】
【請求項１】
本体枠と、該本体枠に開閉可能に取り付けられた前扉を備えた回胴式遊技機が設置される遊技機設置島台であって、
前記回胴式遊技機が載置される天板上に、前後方向に進退自在に移動可能なスライド固定装置を設け、
該スライド固定装置は、前記回胴式遊技機を載置する平面板と、該平面板の前端から上方に突出して前記本体枠の前側下端と係合する係合突起と、該平面板の後部に設けられて前記本体枠の背面側下部と係合する押圧板を有した下部固定手段と、
を有し、
前記回胴式遊技機を、引き出した前記スライド固定装置の前記平面板上に載置し、前記下部固定手段により前記押圧板を前方に移動させて前記本体枠を背面から押圧し、前記本体枠下部の前後を該押圧板と前記係合突起とで挟持することにより該回胴式遊技機を固定することを特徴とする遊技機設置島台。
【請求項２】
前記スライド固定装置の移動範囲を規制する移動規制手段を設け、該移動規制手段は、前記スライド固定装置を、前記回胴式遊技機を着脱するときの前方規制位置と、前記回胴式遊技機を設置するときの後方規制位置との間を移動可能にしたことを特徴とする請求項１に記載の遊技機設置島台。
【請求項３】
前記後方規制位置は、前記スライド固定装置を後側に移動したとき、該スライド固定装置の所定箇所が前記遊技機設置島台を構成する部材と当接する位置としたことを特徴とする請求項２に記載の遊技機設置島台。
【請求項４】
前記前方規制位置は、前記回胴式遊技機と前記遊技機設置島台との間に、該遊技機設置島台の前面側から前記下部固定手段の操作が可能な所定の間隔が形成される位置としたことを特徴とする請求項２または請求項３に記載の遊技機設置島台。
【請求項５】
前記スライド固定装置が前記後方規制位置に位置するときに、該スライド固定装置の移動を不能にするストッパー手段を設けたことを特徴とする請求項２乃至請求項４の何れか１項に記載の遊技機設置島台。
【請求項６】
前記ストッパー手段は、前記スライド固定装置の後端側に設けられるＬ字部材の下面に穿設した挿通孔に、前記天板の裏面側に設けられた固定ピンを下側から貫通させることにより前記スライド固定装置を移動不能にしたことを特徴とする請求項５に記載の遊技機設置島台。
【請求項７】
前記固定ピンは、前記天板の裏面側に設けられた係合部材に上下方向に移動可能に取り付けられると共に、該係合部材に係止及び係脱可能に設けられた係止片を有し、常時は付勢部材により上方側に付勢され、
前記係止片が前記係合部材に係止されるとき、前記固定ピンは、その先端が前記挿通孔の下方に位置する第１位置に位置し、前記係止片が前記係合部材から係脱したとき、前記付勢部材の付勢力により、前記固定ピンは、前記第１位置から、その先端が前記挿通孔を貫通する第２位置に移動することを特徴とする請求項６に記載の遊技機設置島台。
【請求項８】
前記天板の下方には、前記遊技機設置島台の前面下部を覆う腰板が着脱自在に設けられ、前記ストッパー手段の操作は、該腰板を外して前記遊技機設置島台の前面側から行うことができるようにしたことを特徴とする請求項５乃至請求項７の何れか１項に記載の遊技機設置島台。
【請求項９】
前記スライド固定装置が前記後方規制位置に位置するときに、前記回胴式遊技機の上部を固定する上部固定手段を設けたことを特徴とする請求項２乃至請求項８の何れか１項に記載の遊技機設置島台。
【請求項１０】
前記上部固定手段は、前記遊技機設置島台を構成する上部材に取り付けられる上部固定ボルトと、上部固定ボルトの先端に取り付けられた押圧部材とを有し、
前記上部固定ボルトを操作して前記押圧部材を下方に移動させて前記本体枠を上から押圧し、前記本体枠の上下を該押圧部材と前記スライド固定装置の前記平面板とで挟持することにより前記回胴式遊技機を固定することを特徴とする請求項９に記載の遊技機設置島台。
【請求項１１】
前記押圧部材は、前記上部固定ボルトに遊嵌され、揺動自在に設けられていることを特徴とする請求項１０に記載の遊技機設置島台。
【請求項１２】
前記押圧部材は、前記上部固定ボルトを操作して前記回胴式遊技機の固定を解除するとき、上方に移動して前記遊技機設置島台を構成する上部材に設けられた前記上部固定ボルトが貫通する貫通孔の内部に収納可能に設けられることを特徴とする請求項１０または請求項１１に記載の遊技機設置島台。
【請求項１３】
前記下部固定手段は、前記押圧板を前後に移動させる下部固定ボルトを有し、前記押圧板は、該下部固定ボルトに遊嵌され、少なくとも上下に揺動自在に設けられていることを特徴とする請求項１乃至請求項１２の何れか１項に記載の遊技機設置島台。
【請求項１４】
前記押圧板は、上端側に上部折返片と、下端側に下部折曲片とを有し、該上部折返片及び該下部折曲片は、それぞれ先端側に所定数の上部係止爪及び下部係止爪を有し、該上部係止爪及び下部係止爪は、その先端が尖った形状に形成されると共に、水平線から下向きの斜め前方に所定の角度を持って形成されていることを特徴とする請求項１乃至請求項１３の何れか１項に記載の遊技機設置島台。
【請求項１５】
前記上部折返片と前記上部係止爪及び前記下部折曲片と前記下部係止爪は、それぞれ直線状に設けられ、且つ、前記上部折返片と前記下部折曲片及び前記上部係止爪と前記下部係止爪は、それぞれほぼ平行になるように形成されていることを特徴とする請求項１４に記載の遊技機設置島台。
【請求項１６】
前記押圧板は、左右の長さが前記本体枠より短く形成され、前記押圧板が前記本体枠の背面を押圧するとき、該押圧板は前記本体枠の左右の何れか一方寄りに位置して該押圧板が位置していない該本体枠の背面側に開放空間が形成されることを特徴とする請求項１乃至請求項１５の何れか１項に記載の遊技機設置島台。
【考案の詳細な説明】
【技術分野】
【０００１】
本考案は、回胴式遊技機が設置される遊技機設置島台に関り、さらに詳しくは、回胴式遊技機の着脱を容易に行うことのできる遊技機設置島台に関する。
【背景技術】
【０００２】
従来よりスロットマシーン等の回胴式遊技機は、遊技機設置島台（以下、単に「島台」ともいう）と呼ばれる木材やスチール等の骨組みからなる構造物に固定して使用されている。島台は、一般的に、複数の回胴式遊技機を横並び状に背向列設し、これら列設した回胴式遊技機に対して、遊技媒体となるメダル等を補給したり回収したりする機能を有している。
【０００３】
ところで、多数の回胴式遊技機が設置される遊技場においては、遊技者の興味を持続させるべく、回胴式遊技機の入れ替えが頻繁に行われる。しかしながら、回胴式遊技機の島台への取り付けは、例えば特許文献１に示すように、回胴式遊技機の本体枠の上面や下面を釘やボルト等により島台の支持枠に固定するようにしていた。
【先行技術文献】
【特許文献】
【０００４】
【特許文献１】特開２００５−３４２２６１号公報
【考案の概要】
【考案が解決しようとする課題】
【０００５】
上記のように、従来では、回胴式遊技機を釘やボルト等により島台に固定しているため、回胴式遊技機を島台に取り付けたり、取り外したりする作業は極めて煩雑なものとなっていた。しかも、このように釘やボルト等により回胴式遊技機を繰り返し固定すると、回胴式遊技機の本体枠や島台の支持枠が損傷し、再利用に支障を来すことがある。
【０００６】
本考案は、上記した課題を解決するためになされたもので、その目的とするところは、回胴式遊技機の着脱を容易に行うことができ、しかも回胴式遊技機の本体枠や島台の支持枠の損傷を防止して再利用することのできる遊技機設置島台を提供することにある。
【課題を解決するための手段】
【０００７】
この様な問題を解決するために、本考案の遊技機設置島台（島台５０）は、請求項１に記載したように、本体枠（本体枠１０）と、該本体枠に開閉可能に取り付けられた前扉（前扉２０）を備えた回胴式遊技機（スロットマシーン１）が設置される遊技機設置島台であって、前記回胴式遊技機が載置される天板（天板３５）上に、前後方向に進退自在に移動可能なスライド固定装置（スライド固定装置６０）を設け、該スライド固定装置は、前記回胴式遊技機を載置する平面板（平面板５８）と、該平面板の前端から上方に突出して前記本体枠の前側下端（前端部２４ａ）と係合する係合突起（係合突起５９ａ）と、該平面板の後部に設けられて前記本体枠の背面（背面板２６）側下部と係合する押圧板（押圧板７４）を有した下部固定手段（下部固定装置７０）と、を有し、前記回胴式遊技機を、引き出した前記スライド固定装置の前記平面板上に載置し、前記下部固定手段により前記押圧板を前方に移動させて前記本体枠を背面から押圧し、前記本体枠下部の前後を該押圧板と前記係合突起とで挟持することにより該回胴式遊技機を固定することを要旨とする。
【０００８】
このように、本考案の遊技機設置島台は、スライド固定装置を引き出して回胴式遊技機を平面板上に載置し、回胴式遊技機の本体枠の前側下端を、平面板の前端から上方に突出する係合突起に係合させ、下部固定手段の押圧板を前方に移動させて本体枠を背面から押圧することで、本体枠下部の前後を押圧板と係合突起とで挟持するという、極めて容易な作業で回胴式遊技機を固定することができる。また、回胴式遊技機を遊技機設置島台から取り外す作業も、上記と逆の手順で同様に極めて容易な作業で行うことができる。即ち、本考案の遊技機設置島台は、回胴式遊技機の着脱を容易に行うことができる。
【０００９】
従ってこのように構成される本考案の遊技機設置島台においては、従来の釘やボルトにより回胴式遊技機を取り付けたり、釘やボルトにより固定されている回胴式遊技機を取り外したりする際の煩雑な作業を行う必要がなく、その結果、回胴式遊技機の遊技機設置島台への着脱作業を極めて効率よく行うことができる。
【００１０】
また、スライド固定装置で回胴式遊技機を押圧するように固定するので、釘やボルトにより回胴式遊技機に固定するときのように、本体枠や遊技機設置島台を構成する支持枠等の部材が変形したり損傷してしまうことがなく、その結果、機種変更等で回胴式遊技機を取り替える場合に本体枠や支持枠等の部材を再利用することが可能になり、廃棄物が発生せずにコストダウンとなる。
【００１１】
また、請求項２に記載の遊技機設置島台は、請求項１に記載の遊技機設置島台において、前記スライド固定装置の移動範囲を規制する移動規制手段（後端５８ｂ、スライド機構６３）を設け、該移動規制手段は、前記スライド固定装置を、前記回胴式遊技機を着脱するときの前方規制位置（図５、１１の（Ｂ）に示すスライド固定装置６０の位置）と、前記回胴式遊技機を設置するときの後方規制位置（図５、１１の（Ａ）に示すスライド固定装置６０の位置）との間を移動可能にしたことを要旨とする。
【００１２】
従ってこのように構成される本考案の遊技機設置島台においては、スライド固定装置の移動範囲が、移動規制手段により回胴式遊技機を着脱するときの前方規制位置と、回胴式遊技機を設置するときの後方規制位置との間に規制されるので、その結果、回胴式遊技機の遊技機設置島台への着脱作業、つまりスライド固定装置の引き出し作業や押し込み作業が容易となる。
【００１３】
ここで、後方規制位置は、次のようにするとよい。即ち、請求項３に記載の遊技機設置島台は、請求項２に記載の遊技機設置島台において、前記後方規制位置は、前記スライド固定装置を後側に移動したとき、該スライド固定装置の所定箇所（後端５８ｂ）が前記遊技機設置島台を構成する部材（右側板３７、右側板３８ａ）と当接する位置としたことを要旨とする。このような構成によれば、スライド固定装置を確実に後方規制位置に停止することができる。
【００１４】
一方、前方規制位置は、次のようにするとよい。即ち、請求項４に記載の遊技機設置島台は、請求項２または請求項３に記載の遊技機設置島台において、前記前方規制位置は、前記回胴式遊技機と前記遊技機設置島台との間に、該遊技機設置島台の前面側から前記下部固定手段の操作が可能な所定の間隔（間隔Ｄ）が形成される位置としたことを要旨とする。
【００１５】
このような構成によれば、スライド固定装置が前方規制位置に位置（回胴式遊技機を着脱するときの位置）しているとき、遊技機設置島台の前面側から下部固定手段を操作できるので、極めて使い勝手がよい。
【００１６】
また、請求項５に記載の遊技機設置島台は、請求項２乃至請求項４の何れか１項に記載の遊技機設置島台において、前記スライド固定装置が前記後方規制位置に位置するときに、該スライド固定装置の移動を不能にするストッパー手段（ストッパー装置９０）を設けたことを要旨とする。このような構成によれば、スライド固定装置が後方規制位置に位置（回胴式遊技機が設置されているときの位置）しているとき、スライド固定装置を確実に固定することができる。
【００１７】
ここで、ストッパー手段の構成は、次のようにするとよい。即ち、請求項６に記載の遊技機設置島台は、請求項５に記載の遊技機設置島台において、前記ストッパー手段は、前記スライド固定装置の後端（後板６１）側に設けられるＬ字部材（Ｌ字金具７２）の下面（下面７２ａ）に穿設した挿通孔（挿通孔７２ｂ）に、前記天板の裏面側に設けられた固定ピン（固定ピン９１）を下側から貫通させることにより前記スライド固定装置を移動不能にしたことを要旨とする。
【００１８】
このような構成によれば、固定ピンが、挿通孔を貫通してＬ字部材の下面から上方に突出するだけなので、容易な構成でスライド固定装置を移動不能にできる。特に、請求項３との関係では、スライド固定装置は確実に後方規制位置に停止するので、ストッパー手段は確実に機能する。なお、スライド固定装置を移動したいときは、上記と逆の手順で、固定ピンをＬ字部材の挿通孔から抜脱すればよい。
【００１９】
さらに、固定ピンの構成は、次のようにするとよい。即ち、請求項７に記載の遊技機設置島台は、請求項６に記載の遊技機設置島台において、前記固定ピンは、前記天板の裏面側に設けられた係合部材（係合部９３）に上下方向に移動可能に取り付けられると共に、該係合部材に係止及び係脱可能に設けられた係止片（係止片９５ａ）を有し、常時は付勢部材により上方側に付勢され、前記係止片が前記係合部材に係止されるとき、前記固定ピンは、その先端が前記挿通孔の下方に位置する第１位置に位置し、前記係止片が前記係合部材から係脱したとき、前記付勢部材の付勢力により、前記固定ピンは、前記第１位置から、その先端が前記挿通孔を貫通する第２位置に移動することを要旨とする。
【００２０】
このような構成によれば、固定ピンの係止片を、天板の裏面側に設けられた係合部材に係止したり係脱したりするだけの極めて容易な操作で、確実にストッパー手段を機能させて、スライド固定装置を移動不能または移動可能にすることができる。
【００２１】
そして、ストッパー手段の操作は、次のようにするとよい。即ち、請求項８に記載の遊技機設置島台は、請求項５乃至請求項７の何れか１項に記載の遊技機設置島台において、前記天板の下方には、前記遊技機設置島台の前面下部を覆う腰板（腰板３２）が着脱自在に設けられ、前記ストッパー手段の操作は、該腰板を外して前記遊技機設置島台の前面側から行うことができるようにしたことを要旨とする。このような構成によれば、腰板を外して遊技機設置島台の前面側からストッパー手段（固定ピン）を操作できるので、極めて使い勝手がよい。
【００２２】
また、請求項９に記載の遊技機設置島台は、請求項２乃至請求項８の何れか１項に記載の遊技機設置島台において、前記スライド固定装置が前記後方規制位置に位置するときに、前記回胴式遊技機の上部を固定する上部固定手段（上部固定装置８０）を設けたことを要旨とする。このような構成によれば、スライド固定装置が後方規制位置に位置しているとき、回胴式遊技機をより確実に固定することができる。
【００２３】
ここで、上部固定手段の構成は、次のようにするとよい。即ち、請求項１０に記載の遊技機設置島台は、請求項９に記載の遊技機設置島台において、前記上部固定手段は、前記遊技機設置島台を構成する上部材（上板３４、下板５４）に取り付けられる上部固定ボルト（固定ボルト８２）と、上部固定ボルトの先端に取り付けられた押圧部材（押圧板８３）とを有し、前記上部固定ボルトを操作して前記押圧部材を下方に移動させて前記本体枠を上から押圧し、前記本体枠の上下を該押圧部材と前記スライド固定装置の前記平面板とで挟持することにより前記回胴式遊技機を固定することを要旨とする。
【００２４】
このような構成によれば、上部固定ボルトを操作して押圧部材を下方に移動させるという極めて容易な作業で、本体枠を上から押圧することができ、これにより本体枠の上下を押圧部材とスライド固定装置の平面板とで挟持して、回胴式遊技機を固定することができる。即ち、本体枠の前後を押圧板と係合突起とで、本体枠の上下を押圧部材と平面板とで挟持することで、回胴式遊技機を極めて強固に固定することができる。しかも、押圧部材で回胴式遊技機を押圧するように固定するので、上述したように、本体枠や遊技機設置島台を構成する支持枠等の部材が変形したり損傷することがない。
【００２５】
さらに、押圧部材の上部固定ボルトへの取り付けは、次のようにするとよい。即ち、請求項１１に記載の遊技機設置島台は、請求項１０に記載の遊技機設置島台において、前記押圧部材は、前記上部固定ボルトに遊嵌され、揺動自在に設けられていることを要旨とする。
【００２６】
このように押圧部材を上部固定ボルトに対して揺動自在に設ければ、例え回胴式遊技機の機種毎で本体枠の上面の形状が異なっていても、押圧部材は、それら上面の形状に適応して本体枠により密着することが可能となり、その結果、より強固に回胴式遊技機の上部を押圧して固定することができる。
【００２７】
そして、押圧部材は、回胴式遊技機の固定を解除するとき、次のようにするとよい。即ち、請求項１２に記載の遊技機設置島台は、請求項１０または請求項１１に記載の遊技機設置島台において、前記押圧部材は、前記上部固定ボルトを操作して前記回胴式遊技機の固定を解除するとき、上方に移動して前記遊技機設置島台を構成する上部材に設けられた前記上部固定ボルトが貫通する貫通孔（貫通孔３４ａ、５４ａ）の内部に収納可能に設けられることを要旨とする。
【００２８】
このような構成によれば、押圧部材は、回胴式遊技機を固定したスライド固定装置を前後に移動させる際、貫通孔の内部に収納することができるので、スライド固定装置の移動に支障することがない。さらに、回胴式遊技機が設置されていない状態においても、押圧部材を貫通孔の内部に収納することができるので、その結果、押圧部材が何らかの原因で損傷してしまうことを防止できる。
【００２９】
また、請求項１３に記載の遊技機設置島台は、請求項１乃至請求項１２の何れか１項に記載の遊技機設置島台において、前記下部固定手段は、前記押圧板を前後に移動させる下部固定ボルト（固定ボルト７３）を有し、前記押圧板は、該下部固定ボルトに遊嵌され、少なくとも上下に揺動自在に設けられていることを要旨とする。
【００３０】
このような構成によれば、下部固定ボルトを操作して押圧板を前後に移動させるという極めて容易な作業で、本体枠を背面から押圧したり、押圧を解除したりすることができる。しかも、押圧板を下部固定ボルトに対して少なくとも上下に揺動自在に設けているので、例え回胴式遊技機の機種毎で本体枠の背面の形状が異なっていても、押圧板は、それら背面の形状に適応して本体枠により密着することが可能となり、その結果、より強固に回胴式遊技機の背部を押圧して固定することができる。
【００３１】
ここで、押圧板の構成は、次のようにするとよい。即ち、請求項１４に記載の遊技機設置島台は、請求項１乃至請求項１３の何れか１項に記載の遊技機設置島台において、前記押圧板は、上端側に上部折返片（上部折返片７４ａ）と、下端側に下部折曲片（下部折曲片７４ｂ）とを有し、該上部折返片及び該下部折曲片は、それぞれ先端側に所定数の上部係止爪（係止爪７５ａ）及び下部係止爪（係止爪７５ｂ）を有し、該上部係止爪及び下部係止爪は、その先端が尖った形状に形成されると共に、水平線から下向きの斜め前方に所定の角度を持って形成されていることを要旨とする。
【００３２】
このような構成によれば、回胴式遊技機の前扉を開放したとき、前扉の重みにより回胴式遊技機が前側に傾斜した場合であっても、本体枠の背部に上部係止爪及び下部係止爪が食い込むので、その結果、回胴式遊技機が前側に転倒して遊技機設置島台から落下してしまうことを防止できるという、極めて顕著な効果を奏する。
【００３３】
そして、上部折返片と上部係止爪及び下部折曲片と下部係止爪の構成は、次のようにするとよい。即ち、請求項１５に記載の遊技機設置島台は、請求項１４に記載の遊技機設置島台において、前記上部折返片と前記上部係止爪及び前記下部折曲片と前記下部係止爪は、それぞれ直線状に設けられ、且つ、前記上部折返片と前記下部折曲片及び前記上部係止爪と前記下部係止爪は、それぞれほぼ平行になるように形成されていることを要旨とする。このような構成によれば、押圧板が形成し易くなると共に、回胴式遊技機が前側に傾斜したときに、本体枠の背部に上部係止爪及び下部係止爪が、より食い込み易くなる。
【００３４】
さらに、押圧板の構成は、次のようにするとよい。即ち、請求項１６に記載の遊技機設置島台は、請求項１乃至請求項１５の何れか１項に記載の遊技機設置島台において、前記押圧板は、左右の長さが前記本体枠より短く形成され、前記押圧板が前記本体枠の背面を押圧するとき、該押圧板は前記本体枠の左右の何れか一方寄りに位置して該押圧板が位置していない該本体枠の背面側に開放空間が形成されることを要旨とする。このような構成によれば、回胴式遊技機の背面から後ろ側に突出して設けられるスピカー装置等の機器との緩衝を、適宜回避することが可能になる。
【図面の簡単な説明】
【００３５】
【図１】本実施形態に係わるスロットマシーン１の正面図である。
【図２】本実施形態に係わるスロットマシーン１の右側面図である。
【図３】本実施形態に係わるスロットマシーン１の前扉２０を開放したときの斜視図である。
【００３６】
【図４】本実施形態に係わるスロットマシーン１を設置する島台５０の正面図である。
【図５】本実施形態に係わる図４における島台５０のＡ−Ａ断面図である。
【図６】本実施形態に係わるスライド固定装置６０の平面図、正面図、右側面図である。
【００３７】
【図７】本実施形態に係わるスライド固定装置６０の下部固定装置７０の説明図である。
【図８】本実施形態に係わる図４における島台５０のＢ−Ｂ断面図である。
【図９】本実施形態に係わるストッパー装置９０の構成を説明するための説明図である。
【００３８】
【図１０】本実施形態に係わる上部固定装置８０の構成を説明するための説明図である。
【図１１】本実施形態に係わるスロットマシーン１を島台５０に固定したときの図４における島台５０のＡ−Ａ断面図である。
【００３９】
【図１２】本実施形態に係わるスロットマシーン１をスライド固定装置６０に固定したときの状態を説明するための説明図である。
【考案を実施するための形態】
【００４０】
＜１．スロットマシーン１の構成＞
以下に、本考案を実施するための形態を図を用いて説明する。まず、図１〜３を参照しながら、回胴式遊技機としてのスロットマシーン１の構成について説明する。図１は、スロットマシーン１の正面図、図２は、スロットマシーン１の右側面図、図３は、スロットマシーン１の前扉２０を開放したときの斜視図である。
【００４１】
スロットマシーン１は、いわゆる３リール型のスロットマシーンであり、マシン内部に円筒外周面に沿ってそれぞれ異なる配置パターンで多種類の図柄が描かれた３つのリール２ａ、２ｂ、２ｃを有している。このスロットマシーン１は、遊技者のスタート操作に基づいて３つのリールを同時に回転起動させた後、それぞれ個別の停止操作に基づいて各リールの回転を停止させ、停止後に表示される３つのリール２ａ、２ｂ、２ｃの図柄の組み合わせが入賞図柄に該当するときに、その入賞状態に応じた枚数の遊技メダルを払い出すように構成されている。
【００４２】
スロットマシーン１は、全体として上下に長い矩形箱状の筐体を有して構成されており、大別すると、図３に示すように、中空の本体枠１０と、この本体枠１０の一側にヒンジ等を介して開閉可能に取り付けられた前扉２０とから構成されている。
【００４３】
本体枠１０は、上板２３、底板２４、一対の側板２５ａ、２５ｂ、背面板２６とで、図３に示すように、前面が開放した箱形を成している。本体枠１０の中空内部には、ホッパー５、電源装置６、集中端子板７、中継基板８を取り付けている。ホッパー５は、ゲーム結果にもとづいて遊技者にメダルを排出するものであり、メダル排出装置として機能する。そして、ホッパー装置５は、図３に示すように、本体枠１０の底板２４に取り付けられている。
【００４４】
電源装置６は、スロットマシーン１の各機器に電源を供給するものであり、本体枠１０の側板２５ｂに取り付けられている。集中端子板７は、図示していないが、外部出力端子を有し、スロットマシーン１の稼働状況等の情報を外部に出力するためのものであり、本体枠１０の側板２５ａに取り付けられている。中継基板８は、図示しないカードユニット等にハーネスを介して接続されるものであり、本体枠１０の側板２５ａの集中端子板７の下側に取り付けられている。
【００４５】
一方、前扉２０は、図１に示すように、その前面側に、リール２ａ、２ｂ、２ｃが臨む表示窓１２ａ、１２ｂ、１２ｃと、メダルを投入するためのメダル投入口１３と、後述のリール装置１４を駆動させるためのスタートレバー１５と、リール装置１４のリール２ａ、２ｂ、２ｃを個別に停止可能な３個のストップスイッチ１６と、クレジットの切替スイッチ１７と、クレジットメダルの投入スイッチ１８等が設けられている。さらに、前扉２０は、その前面側の下部に、交換可能な装飾パネル１９と、ホッパー５から排出されたメダルが貯留されるメダル貯留皿２１が設けられている。
【００４６】
また、前扉２０は、図３に示すように、その裏面側に、リール装置１４、主基板２２が取り付けられている。リール装置１４は、遊技者のスタートスイッチ１５の操作により、リール２ａ、２ｂ、２ｃがモータの駆動力により個別に回転するようになっており、表示窓１２ａ、１２ｂ、１２ｃの裏側に取り付けられている。主基板２２は、リール装置１４やホッパー５等のスロットマシーン１の各種機器の制御を行うものであり、本実施形態ではリール装置１４の上面に取り付けられている。
【００４７】
なお、スロットマシーン１は、図１、２に示すように、前扉２０が閉じた状態であっても、底板２４の前端部２４ａの下部が露出するようになっており、スロットマシーン１を後述する島台５０に固定する場合には、この露出している前端部２４ａの下部に、島台５０に設けられたスライド固定装置６０の係合突起５９ａが係合するようになっている。
【００４８】
＜２．島台５０の構成＞
次に、上記した構成のスロットマシーン１を設置する島台５０について、図を参照しながら詳細に説明する。図４は、スロットマシーン１を設置する島台５０の正面図、図５は、図４における島台５０のＡ−Ａ断面図であり、（Ａ）は後述のスライド固定装置６０が通常の位置（スロットマシーン１が設置されているときの位置）を示し、（Ｂ）はスライド固定装置６０が前方に突出した位置（スロットマシーン１を着脱するときの位置）を示している。
【００４９】
島台５０は、その下部側に、平面視したとき略腰までの高さの４本の支柱３３ａ、３３ｂが矩形の四隅に位置するように垂設されている。支柱３３ａ、３３ｂは、スチール等の材質で形成され、その上端には、島台５０に対して前方側に突出する略矩形板状の天板３５が取り付けられている。また、天板３５の下方には、図５に示すように、支柱３３ａと支柱３３ｂを連結する横桟２９ａ、２９ｂと、支柱３３ｂ間を連結する横桟３１が架設されている。
【００５０】
天板３５は、その長手方向前側の略中央に、島台５０に対して前方に自在に突出してメダルを収容する玉箱を載置可能な玉箱載置部材３５ａを備えており、また、その上方には、上板３４と、右側板３７と、玉箱ボックス３８と、下板３９とから成る木等の材質により形成される略矩形状の支持枠３６が取り付けられている。また、天板３５の下方には、化粧用のサイドカバー３０と腰板３２が設けられ、腰板３２は、前方に傾斜するように（図５参照）サイドカバー３０間に着脱自在に付設されている。また、腰板３２の下端には内側に向かって短い突出片３２ａが設けられ、この突出片３２ａと上記横桟３１の上に、底板２８が載置されるように設けられている。
【００５１】
この底板２８は、平面視したとき４本の支柱３３ａ、３３ｂで形成される空間を隙間なく覆うように閉塞する矩形の平板状に形成され、この底板２８上には、スロットマシーン１から排出されたメダルを回収するための回収装置（図示省略）が設置されるようになっている。なお、このような構成の底板２８により、島台５０から遊技媒体としてのメダルや、ボルト、ナット等を始めとする内部の備品が、島台５０の下部や外部に落下するのを防止することができる。
【００５２】
また、支柱３３ａ、３３ｂは、その下端に、該支柱３３ａと該支柱３３ｂを連結するＬ字金具４４が装着されており、このＬ字金具４４は、アンカーボルト４６により遊技場の床面に固定されている。つまり、島台５０は、このＬ字金具４４及びアンカーボルト４６により、遊技場の床面に立設される。
【００５３】
ここで、上記支持枠３６の下板３９は、図４に示すように、上板３４よりも左右の長さが短く形成されており、この下板３９と玉箱ボックス３８（右側板３８ａ）の間には、本考案の要部を構成するスライド固定装置６０が介装されている。なお、玉箱ボックス３８は、前面開放の複数段状（図示では４段）に形成され、玉箱以外にも遊技者の荷物等が収容できるようになっている。また、スライド固定装置６０の構成については、後に詳述する。
【００５４】
しかして、このスライド固定装置６０と、上板３４、右側板３７、玉箱ボックス３８の右側板３８ａ、下板３９とで、スロットマシーン１と図示しない台間ユニットが設置される前後面開放の遊技機設置空間４０を形成している。そして、遊技機設置空間４０のうち、スロットマシーン１はスライド固定装置６０に載置するように配置され、台間ユニットは下板３９に載置するように配置される。なお、台間ユニットは、スロットマシーン１と電気的に接続され、遊技者の金銭の投入に対してメダルを払い出したり、プリペイドカードや会員カード等、遊技を行うための所定のカードを挿入するためのカード挿入口等が設けられるようになっている。
【００５５】
一方、島台５０の上部側には、支持枠３６の上方に上ユニット５１が設置されており、この上ユニット５１は、上板５２と、一対の側板５３と、下板５４とで形成される前後面開放の箱枠と、この箱枠の前側に開閉自在に設けられる幕板５５と、この箱枠内において幕板５５の右側に設けられる機器設置部５６とにより構成されている。
【００５６】
幕板５５は、島台５０内部でメダルの玉詰まりや内部機器が故障を起こしたとき等に、店員が対処できるようにするため、島台５０に対して開閉自在に設けられるものであり、また、その前面には、店員を呼び出したり、スロットマシーン１が特賞状態（例えば大当り状態）等になったときに点等／点滅する呼出ランプが取り付けられるようになっている。なお、図中、５７は、取り付けられた呼出ランプの配線を島台５０内に引き込むための、幕板５５に穿設された円形孔である。また、機器設置部５６は、遊技者から挿入される紙幣を識別するビルバリ（紙幣識別装置）等の機器が組み込まれるようになっている。
【００５７】
ここで、上ユニット５１の下板５４（及び支持枠３６の上板３４）には、遊技機設置空間４０にスロットマシーン１が設置される際、スライド固定装置６０と協働してスロットマシーン１を島台５０に固定するための上部固定装置８０が取り付けられている。この上部固定装置８０の構成については、以下に述べる。
【００５８】
＜３．スライド固定装置６０、上部固定装置８０の構成＞
次に、スロットマシーン１を島台５０に固定するための、本考案の要部となるスライド固定装置６０、上部固定装置８０の構成について説明する。まず、図１０を参照しながら、上部固定装置８０の構成について説明する。図１０は、上部固定装置８０の構成を説明するための説明図であり、（Ａ）は上部固定装置８０が島台５０に取り付けられた状態を上方から見た斜視図、（Ｂ）は上部固定装置８０が島台５０に取り付けられた状態を下方から見た斜視図である。
【００５９】
上部固定装置８０は、上ユニット５１の下板５４及び支持枠３６の上板３４の左右に一対取り付けられる装置であって、矩形平板状の座板８１と、頭部８２ａと軸部８２ｂを有する固定ボルト８２と、固定ボルト８２の先端に取り付けられた椀状の押圧板８３とにより構成されている。
【００６０】
座板８１の中央には、固定ボルト８２の軸部８２ｂのネジ山と螺合するネジ穴８１ａが穿設されており、軸部８２ｂは、ネジ穴８１ａと螺合して該ネジ穴８１ａから下方に突出した状態となっている。そして、このネジ穴８１ａから突出した軸部８２ｂの先端に、押圧板８３が遊嵌されており、押圧板８３は軸部８２ｂに対して揺動自在となっている。また、固定ボルト８２の頭部８２ａは、軸部８２ｂの略３倍くらいの径で円柱状に形成され、人の手で回転し易いように円周部に細かい縦溝が形成されている。
【００６１】
一方、島台５０において、上部固定装置８０が取り付けられる上ユニット５１の下板５４と、下板５４と重合する支持枠３６の上板３４の左右２箇所には、円形の貫通孔５４ａ、３４ａがそれぞれ連設されており、この貫通孔５４ａ、３４ａの径は、同径であって、図１０（Ｂ）に示すように、押圧板８３の径より大きく形成されている。
【００６２】
そして、上記のように構成される上部固定装置８０を島台５０に取り付けるには、貫通孔５４ａ、３４ａに上方から押圧板８３及び軸部８２ｂを挿入し、座板８１が貫通孔５４ａを塞ぐように該座板８１を下板５４の上面に載置し、ビス等で座板８１を下板５４に固定するようにすればよい。
【００６３】
このようにして上部固定装置８０を島台５０に取り付けた場合、上部固定装置８０は、スロットマシーン１が島台５０に設置されていないときは、押圧板８３が貫通孔５４ａ、３４ａ内に位置するように固定ボルト８２の頭部８２ａを操作すればよい。これにより、スロットマシーン１が島台５０に設置されていない状態では、押圧板８３が何らかの原因で損傷してしまうことを好適に防止できる。
【００６４】
一方、スロットマシーン１が島台５０に設置されているときは、固定ボルト８２の頭部８２ａを回転することにより、押圧板８３が上板３４の貫通孔３４ａから僅かに突出して該押圧板８３がスロットマシーン１の上端を押圧するようになっている。これにより、上部固定装置８０は、スロットマシーン１の上部側を容易に固定することができる。なお、図１０（Ｂ）は、押圧板８３が上板３４の貫通孔３４ａから突出している状態を示している。
【００６５】
次に、スライド固定装置６０の構成について説明する。図６は、スライド固定装置６０の構成を示す平面図、正面図、右側面図、図７は、スライド固定装置６０の下部固定装置７０の説明図であり、（Ａ）は下部固定装置７０付近の部分斜視図、（Ｂ）は下部固定装置７０付近の拡大右側面図であり、図８は、図４における島台５０のＢ−Ｂ断面図であり、（Ａ）はスライド固定装置６０が通常の位置（スロットマシーン１が設置されているときの位置、図５（Ａ）に対応）を示し、（Ｂ）はスライド固定装置６０が前方に突出した位置（スロットマシーン１を着脱するときの位置、図５（Ｂ）に対応）を示しており、図９は、ストッパー装置９０の構成を説明するための説明図であり、（Ａ）はストッパー装置９０によりスライド固定装置６０がスライド不能に固定されている状態を示す斜視図、（Ｂ）はストッパー装置９０による固定が解除されてスライド固定装置６０がスライド可能になっている状態を示す斜視図である。
【００６６】
スライド固定装置６０は、大別すると、スライド本体部６５と、下部固定装置７０と、ストッパー装置９０とから構成されている。まずスライド本体部６５の構成について、主に図６を参照しながら説明する。スライド本体部６５は、全体がスチール等の材質で形成され、スロットマシーン１を載置する面となる略矩形の平面板５８と、平面板５８の前端及び後端に設けられる前板５９及び後板６１とを備えている。
【００６７】
平面板５８は、スロットマシーン１の横幅（底板２４）とほぼ同じ横幅で、その奥行きは、スロットマシーン１の奥行きより略後述の下部固定装置７０の分だけ大きく形成されている。平面板５８は、図６の正面図に示すように、その裏面側に４つのＬ字金具６２が取り付けられており、このＬ字金具６２の側面には、スライド機構６３が取り付けられている。スライド機構６３は、ボールベアリング等を有する周知の構造でその説明は省略するが、島台５０の天板３５に設けられる後述のレール部材６４（図８参照）と係合して、スライド固定装置６０を島台５０の前後方向に進退自在にスライドさせる機能を有している。なお、図６の正面図では、説明容易のため、前板５９の記載を省略している。
【００６８】
また、平面板５８には、図６の平面図に示すように、その前部両側に、スライド機構６３を覆うＬ字状の覆い部５８ａが連設されている。この覆い部５８ａは、スライド固定装置６０が通常の位置（スロットマシーン１が設置されているときの位置、図８（Ａ）参照）のとき、島台５０の前方に露出するスライド機構６３の前部を覆うようになっており、これにより島台５０の美観は損なわれることがない。また、覆い部５８ａの後端５８ｂの外側先端は（図６の平面図参照）、スライド固定装置６０が通常の位置では、島台５０の右側板３７及び玉箱ボックス３８の右側板３８ａと当接するようになっており、これによりスライド固定装置６０における通常の位置が規定される。
【００６９】
なお、図中、６６は、平面板５８に矩形に穿設された回収孔であり、この回収孔６６は、島台５０に設置されたスロットマシーン１から排出されるメダルを回収して内部の回収機構へ導出するための装置であり、これは後述するが、天板３５及び座板３５ｂにも同様に形成されている（図８参照）。
【００７０】
前板５９は、矩形の左右に細長い平板状に形成され、図６の右側面図に示すように、平面板５８と直交し、その上端には、平面板５８からやや突出する係合突起５９ａが形成されている。この係合突起５９ａは、上述したスロットマシーン１の本体枠１０を構成する底板２４の前端部２４ａと係合する部材である（後述の図１１、１２参照）。また、前板５９の左右の長さは、Ｌ字金具６２及びスライド機構６３が前面側から見たとき露出しないよう、図６の正面図に示すように、平面板５８と左右の覆い部５８ａの前面を全て覆う長さに形成されており、これにより島台５０の美観は損なわれることがない。
【００７１】
一方、後板６１は、前板５９と同様に矩形の左右に細長い平板状に形成されているが、その左右の長さは前板５９より短く、且つ平面板５８の右寄りに配置され、図６の右側面図に示すように、平面板５８の後端から上方に延びて垂直状に立設されている。後板６１が平面板５８の右寄りに配置されるのは、スロットマシーン１裏面の定位置に突出して設けられるスピカー装置等との緩衝を回避するためである。
【００７２】
また、後板６１の裏面には、左右に一対のナット部６７が設けられており、このナット部６７のネジ穴と連通するように後板６１に挿通孔７１が穿設され、このナット部６７及び挿通孔７１に後述の下部固定装置７０が固定されるようになっている。さらに、後板６１の裏面には、その略中央に後述のストッパー装置９０と係合するＬ字金具７２が、後板６１から下方に突出するように設けられている。なお、このＬ字金具７２の突出長は、図６の正面図に示すように、上記したＬ字金具６２のスライド機構６３が取り付けられている側面の高さとほぼ同じ長さになっている。これにより、Ｌ字金具７２がスライド固定装置６０の移動に支障することはない。また、後板６１の大きさは、図６に示すように、後述の下部固定装置７０の押圧板７４の大きさとほぼ同じ大きさになっている。
【００７３】
次に、下部固定装置７０の構成について、主に図７を参照しながら説明する。下部固定装置７０は、上記したようにスライド本体部６５の後板６１に取り付けられる装置であって、頭部７３ａと軸部７３ｂを有する左右一対の固定ボルト７３と、固定ボルト７３の先端に取付部７４ｄを介して取り付けられた略矩形の左右に細長い押圧板７４とにより構成されている。
【００７４】
固定ボルト７３は、軸部７３ｂが、後板６１の上記ナット部６７及び挿通孔７１に軸部７３ｂのネジ山が螺合及び挿通して、後板６１から前方に突出した状態となっている。そして、この後板６１から突出した軸部７３ｂの先端に、押圧板７４が遊嵌されており、押圧板７４は軸部７３ｂに対して、図７の矢印Ｙに示すように上下方向に揺動自在となっている。また、固定ボルト７３の頭部７３ａは、人の手で握り易いハンドル状に形成されている。
【００７５】
押圧板７４は、スチール等の材質で形成され、平板状の基板７４ｃと、その上端が前方側に折り返された上部折返片７４ａと、その下端が前方側に折り曲げられた下部折曲片７４ｂと、基板７４ｃの裏面側に設けられた椀状の取付部７４ｄを有し、上部折返片７４ａと下部折曲片７４ｂには、その左右の両端及び中央に三角状の係止爪７５ａ、７５ｂが突出するように設けられている。また、下部折曲片７４ｂの係止爪７５ｂは、スライド本体部６５の平面板５８と接触しておらず、両者の間には若干の隙間が存在する（図６の正面図、右側面図参照）。
【００７６】
図７（Ｂ）に示すように、上部折返片７４ａと係止爪７５ａ及び下部折曲片７４ｂと係止爪７５ｂはそれぞれ直線状に設けられ、また、上部折返片７４ａと下部折曲片７４ｂ及び係止爪７５ａと係止爪７５ｂは、それぞれほぼ平行になるように形成されている。そして、上部折返片７４ａ（係止爪７５ａ）と基板７４ｃとが交わる角度Ａは、３０〜４５度程度に形成されるようになっており、これは、当然ながら、下部折曲片７４ｂ（係止爪７５ｂ）と基板７４ｃとが交わる角度も同じである。
【００７７】
次に、ストッパー装置９０の構成について、主に図９を参照しながら説明する。ストッパー装置９０は、上記したようにスライド本体部６５の後板６１に設けられたＬ字金具７２と係合する装置であって、天板３５の略中央後端の裏面側に設けられている。
【００７８】
ここで、天板３５には、その上面のスライド固定装置６０の通常の位置（スロットマシーン１が設置されているときの位置、図８（Ａ）参照）と対応する大部分に鉄板状の座板３５ｂがビス４１で螺着されており、この座板３５ｂには、上述したスライド機構６３と係合してスライド固定装置６０を島台５０の前後方向に進退自在にスライドさせる４本のレール部材６４が、平行に取り付けられている（図８（Ｂ）参照）。つまり、スライド固定装置６０は、スライド機構６３がレール部材６４と係合することにより島台５０に取り付けられている。
【００７９】
そして、天板３５は、ストッパー装置９０が取り付けられる部分が切り欠かれており、つまり、ストッパー装置９０は、座板３５ｂの略中央後端の裏面側に取り付けられている。また、Ｌ字金具７２は、図９に示すように、その下面７２ａの中央に円形の挿通孔７２ｂが穿設されており、座板３５ｂは、スライド固定装置６０が通常の位置のとき、このＬ字金具７２の挿通孔７２ｂとほぼ合致する位置に円形の挿通孔３５ｃが穿設されている。
【００８０】
挿通孔７２ｂと挿通孔３５ｃは、ほぼ同じ大きさに形成され、スライド固定装置６０が通常の位置では、挿通孔７２ｂと挿通孔３５ｃとは、僅かな隙間を持って上下に重なるように配置されている。なお、天板３５及び座板３５ｂには、スライド固定装置６０が通常の位置のとき、スライド固定装置６０の平面板５８に穿設された回収孔６６と対応する位置に、それぞれ同様の回収孔３５ｄ、３５ｅが穿設されている（図８参照）。
【００８１】
一方、ストッパー装置９０は、頭部９１ａと軸部９１ｂを有する固定ピン９１と、座板３５ｂに固着され、固定ピン９１が上下方向に移動自在に取り付けられる固着部材９２とにより構成されている。固着部材９２は、その下部側に６角ナット状の係合部９３が設けられ、この係合部９３の側面には、図９（Ｂ）に示すように、切欠部９３ａが形成されている。
【００８２】
また、固定ピン９１は、その頭部９１ａが、下部先端側の円形のツマミ部９４と、ツマミ部９４から筒状に延びる該ツマミ部９４より小径の係合部９５とからなっており、係合部９５には、固着部材９２の切欠部９３ａと同一形状の係止片９５ａが設けられている。そして、軸部９１ｂは、その下端部が係合部９５に嵌着されている。なお、ツマミ部９４は、軸部９１ｂの略３倍くらいの径で円柱状に形成され、人の手で回転し易いように円周部に細かい縦溝が形成されている。また、軸部９１ｂは、挿通孔３５ｃ、７２ｂから挿脱可能なように、その径が、挿通孔３５ｃ、７２ｂの径より若干小さく形成されている。
【００８３】
このように構成されるストッパー装置９０は、図９（Ａ）に示すように、スライド固定装置６０が通常の位置では、係合部９３の切欠部９３ａに係合部９５の係止片９５ａが嵌合し、固定ピン９１は、その軸部９１ｂが、挿通孔３５ｃ、７２ｂを介してＬ字金具７２の下面７２ａから上方に突出した状態となっている。これは、図示していないが、固着部材９２の内部に設けられたスプリング等の付勢部材の付勢力により、固定ピン９１は、常時、上方側に付勢されるように設けられているからである。従って、この状態では、スライド固定装置６０の移動は規制される。
【００８４】
次に、この状態で、図９（Ｂ）に示すように、ツマミ部９４を摘まんで下方（矢印ＹＡ方向）に付勢部材の付勢力に抗して該ツマミ部９４を引っ張り、この引っ張った状態のままでツマミ部９４を矢印ＹＢ方向に回転させてから解放すると、係合部９５の係止片９５ａが固着部材９２の係合部９３に係止され、固定ピン９１は、その軸部９１ｂの先端が挿通孔７２ｂより下方に位置し、Ｌ字金具７２から抜脱した状態となる。つまり、固定ピン９１は、上記図９（Ａ）に示した状態から、係止片９５ａの高さ分だけ下方に移動する。従って、この状態では、スライド固定装置６０は、島台５０の前後方向に進退自在に移動可能となる。
【００８５】
＜４．スロットマシーン１の着脱＞
次に、スロットマシーン１を島台５０に着脱する場合について説明する。図１１は、スロットマシーン１を島台５０に固定したときの図４における島台５０のＡ−Ａ断面図であり、（Ａ）はスライド固定装置６０が通常の位置（スロットマシーン１が設置されているときの位置）を示し、（Ｂ）はスライド固定装置６０が前方に突出した位置（スロットマシーン１を着脱するときの位置）を示しており、図１２は、スロットマシーン１をスライド固定装置６０に固定したときの状態を説明するための説明図であり、（Ａ）はスロットマシーン１をスライド固定装置６０に固定したときの右側面図、（Ｂ）は（Ａ）の下部固定装置７０付近の拡大図、（Ｃ）は（Ｂ）の状態でスロットマシーン１が前傾したときの下部固定装置７０付近の拡大図である。
【００８６】
まず、図１１（Ａ）に示す島台５０に設置されているスロットマシーン１を、入れ替え等で島台５０から取り外すには、上部固定装置８０の固定ボルト８２の頭部８２ａを人の手で回転して固定ボルト８２を緩める。すると、固定ボルト８２の軸部８２ｂの先端に遊嵌されスロットマシーン１の上板２３を押圧していた図１１（Ａ）に示す押圧板８３が、上方に移動して図１１（Ｂ）に示すようにスロットマシーン１と乖離する。これにより、島台５０におけるスロットマシーン１の上部の固定が解除される。また、このとき、上方に移動した押圧板８３は、図１１（Ｂ）に示すように、下板５４、上板３４の貫通孔５４ａ、３４ａ内に位置している。
【００８７】
次に、ストッパー装置９０の固定ピン９１のツマミ部９４を人の手で摘まんで付勢力に抗して下方に引っ張り、この引っ張った状態のままでツマミ部９４を回転させてから解放する。すると、固定ピン９１の係合部９５の係止片９５ａが固着部材９２の係合部９３の下端面に係止し、固定ピン９１は、図９（Ａ）に示す軸部９１ｂがＬ字金具７２の下面７２ａから上方に突出した状態から、図９（Ｂ）に示すように、軸部９１ｂの先端が挿通孔７２ｂより下方に移動してＬ字金具７２から抜脱した状態となる。これにより、スロットマシーン１の下部が固定されたスライド固定装置６０は、島台５０の前後方向に進退自在に移動可能となる。なお、上記したように、島台５０の腰板３２は着脱自在に設けられているので、ストッパー装置９０のツマミ部９４の操作は、腰板３２を外して島台５０の前面側から手を差し込んで行うことができる。
【００８８】
そして、この状態で、スライド固定装置６０を引き出し式に島台５０の前方に移動する。このとき、スロットマシーン１の上端面と島台５０の上板３４の下面の間には、若干の隙間があるので、スライド固定装置６０はスムースに島台５０の前方に移動する。
【００８９】
ここで、スライド機構６３には、レール部材６４上を移動させたときにスライド機構６３とレール部材６４が分離しないよう、スライド機構６３の移動範囲を規制する移動規制機構が設けられており、つまり、スライド固定装置６０は、図１１（Ａ）に示す後方規制位置（スライド固定装置６０が通常の位置（スロットマシーン１が設置されているときの位置））から、レール部材６４上を最大限前方に移動させた図１１（Ｂ）に示す前方規制位置（スライド固定装置６０が前方に突出した位置（スロットマシーン１を着脱するときの位置））の間を自由に移動可能になっている。
【００９０】
そして、スライド固定装置６０が前方規制位置に到達したら、下部固定装置７０の固定ボルト７３の頭部７３ａを人の手で回転して固定ボルト７３を緩める。すると、固定ボルト７３の軸部７３ｂの先端に遊嵌されスロットマシーン１の背面板２６を押圧していた図１１（Ａ）に示す押圧板７４が、後方に移動して図１１（Ｂ）に示すようにスロットマシーン１と乖離する。つまり、スロットマシーン１の底板２４の前端部２４ａに係合していた前板５９の係合突起５９ａと、下部固定装置７０の係止爪７５ａ、７５ｂとで挟持するようにしていたスロットマシーン１の下部の固定（図１２（Ａ）参照）が解除され、即ちスロットマシーン１は島台５０から取り外すことが可能になる。
【００９１】
しかして、スライド固定装置６０が前方規制位置に位置している場合には、図１１（Ｂ）に示すように、スロットマシーン１の背面板２６と島台５０の前面（支持枠３６の前面）との間に間隔Ｄが形成されるようになっている。従って、スロットマシーン１を島台５０から取り外す際には、島台５０の前面側から間隔Ｄに手を差し込んで、下部固定装置７０の固定ボルト７３の頭部７３ａを操作することができる。
【００９２】
一方、スロットマシーン１を島台５０に取り付けるには、上述した手順と逆の手順で行えばよく、以下に簡単に説明すると、まず、前方規制位置に位置しているスライド固定装置６０の平面板５８にスロットマシーン１を載置する。この際、スロットマシーン１の底板２４の前端部２４ａとスライド固定装置６０の前板５９の係合突起５９ａとが係合するように載置する。そして、下部固定装置７０の固定ボルト７３の頭部７３ａを回転し、押圧板７４を前方に移動して係止爪７５ａ、７５ｂでスロットマシーン１の背面板２６を押圧する（図１２（Ｂ）参照）。このとき、押圧板７４は、軸部７３ｂに揺動自在に遊嵌されているので、スロットマシーン１の背面板２６の形状に沿ってぴったりと背面板２６に密着する。
【００９３】
そして、この状態で、スライド固定装置６０を、島台５０の後方に移動させ、後方規制位置に停止させる。このとき、上部固定装置８０の押圧板８３は、図１１（Ｂ）に示すように、下板５４、上板３４の貫通孔５４ａ、３４ａ内に位置しているので、スライド固定装置６０の後方への移動に支障することはない。また、スライド固定装置６０が後方規制位置に到達するとき、覆い部５８ａの後端５８ｂが島台５０の右側板３７及び玉箱ボックス３８の右側板３８ａと当接するので、スライド固定装置６０は確実に後方規制位置に停止する。
【００９４】
そして、ストッパー装置９０の固定ピン９１のツマミ部９４を、若干下方に引っ張った状態のままで回転させてから解放し、係合部９３の切欠部９３ａに係合部９５の係止片９５ａを嵌合する。すると、固定ピン９１は、その軸部９１ｂが、挿通孔３５ｃ、７２ｂを介してＬ字金具７２の下面７２ａから上方に突出する。そして、上部固定装置８０の固定ボルト８２の頭部８２ａを回転し、押圧板８３でスロットマシーン１の上板２３を押圧する。このとき、押圧板８３は、軸部８２ｂに揺動自在に遊嵌されているので、スロットマシーン１の上板２３の形状に沿ってぴったりと上板２３に密着する。これにより、スロットマシーン１を島台５０に取り付けることができる。
【００９５】
なお、上述した手順では、スロットマシーン１を島台５０から取り外す場合に、上部固定装置８０の固定を解除してからストッパー装置９０を解除するようにしたが、この順序は逆であってもよい。また、スロットマシーン１を島台５０に取り付ける場合に、ストッパー装置９０で固定してから上部固定装置８０で固定するようにしたが、この順序も逆であってもよい。
【００９６】
また、スロットマシーン１を島台５０に取り付けた状態では、スロットマシーン１の前扉２０を開放したとき、前扉２０の重みによりスロットマシーン１が、図１２（Ａ）（Ｃ）の二点鎖線で示すように、前側に傾斜するおそれがあるが、このような場合には、スロットマシーン１の背面板２６に下部固定装置７０の係止爪７５ａ、７５ｂが食い込むようになっているので（図１２（Ｃ）参照）、これにより、スロットマシーン１が前側に転倒して島台５０から外れてしまうことを防止している。これは、下部固定装置７０の押圧板７４が軸部７３ｂに揺動自在に遊嵌されていることと、上部折返片７４ａ、下部折曲片７４ｂ（係止爪７５ａ、係止爪７５ｂ）と基板７４ｃとが交わる角度Ａが３０〜４５度程度に形成されていることによる。
【００９７】
＜５．効果＞
以上の説明から明らかなように、本考案の島台５０によれば、以下のような効果を奏する。
【００９８】
（１）島台５０は、スライド固定装置６０と上部固定装置８０とで、何らの道具を用いることなく、人の手のみでスロットマシーン１を取り付けたり、取り外したりすることができ、その結果、頻繁に行われる機種変更等の際、従来の釘やボルトによりスロットマシーン１を島台５０に取り付けたり、釘やボルトにより固定されているスロットマシーン１を島台５０から取り外したりしていた煩雑な作業を、極めて容易に行うことができる。
【００９９】
即ち、スロットマシーン１の本体枠１０の上板２３や底板２４を釘やボルトにより島台５０に固定するには、スロットマシーン１内の本体枠１０に設けられるホッパー５やリール装置１４（本実施形態と異なり、リール装置１４が本体枠１０に設けられる場合）等の装置が邪魔となって困難な作業（最悪の場合、スロットマシーン１内の装置を取り外す作業）となるが、本実施形態では、スライド固定装置６０を引き出してスロットマシーン１を載置するように固定し、その後スライド固定装置６０を元の位置に戻して上部固定装置８０で固定するだけでよく、その結果、極めて容易な作業でスロットマシーン１を固定することができる。また、本体枠１０の上板２３や底板２４から釘やボルトを抜き取ってスロットマシーン１を島台５０から取り外す作業も、上記と逆の手順で同様に極めて容易な作業で行うことができる。
【０１００】
（２）島台５０は、スライド固定装置６０と上部固定装置８０とでスロットマシーン１を押圧するように島台５０に固定するので、釘やボルトによりスロットマシーン１を島台５０に固定するときのように、スロットマシーン１の本体枠１０や島台５０の支持枠３６が変形したり損傷してしまうことがなく、その結果、機種変更等でスロットマシーン１を取り替える場合に本体枠１０や支持枠３６を再利用することが可能になり、廃棄物が発生せずにコストダウンとなる。
【０１０１】
（３）島台５０の腰板３２は着脱自在に設けられており、また、スライド固定装置６０が前方規制位置に位置（スロットマシーン１を着脱するときの位置）している場合には、スロットマシーン１の背面板２６と島台５０の前面との間に間隔Ｄが形成されるので、スライド固定装置６０（下部固定装置７０、ストッパー装置９０）、上部固定装置８０は、島台５０の前面側から操作可能となり、その結果、スロットマシーン１の島台５０への着脱作業は、極めて容易で作業効率がよい。しかも、これらの操作は、下部固定装置７０は固定ボルト７３の頭部７３ａを、ストッパー装置９０は固定ピン９１のツマミ部９４を、上部固定装置８０は固定ボルト８２の頭部８２ａを、それぞれ回転するだけの極めて容易な操作で行うことができる。
【０１０２】
（４）スライド固定装置６０は、後方規制位置（スロットマシーン１が島台５０に設置されているときの位置）では、覆い部５８ａの後端５８ｂが島台５０の右側板３７及び玉箱ボックス３８の右側板３８ａと当接するので、スライド固定装置６０は確実に後方規制位置に停止し、その結果、Ｌ字金具７２の挿通孔７２ｂと座板３５ｂの挿通孔３５ｃが合致し、固定ピン９１の軸部９１ｂが、挿通孔３５ｃ、７２ｂを貫通してＬ字金具７２の下面７２ａから上方に突出できるので、ストッパー装置９０が確実に機能する。
【０１０３】
（５）下部固定装置７０の押圧板７４は、軸部７３ｂに揺動自在に遊嵌されているので、例えスロットマシーン１の機種毎で背面板２６の形状が異なっていても、それらの背面板２６の形状に適応し、その結果、より強固にスロットマシーン１の下部を係合突起５９ａと係止爪７５ａ、７５ｂとで挟持して固定することができる。同様に、上部固定装置８０の押圧板８３は、軸部８２ｂに揺動自在に遊嵌されているので、例えスロットマシーン１の機種毎で上板２３の形状が異なっていても、それらの上板２３の形状に適応し、その結果、より強固にスロットマシーン１の上部を押圧して固定することができる。
【０１０４】
（６）上部固定装置８０の押圧板８３は、スロットマシーン１を下部固定装置７０で固定したスライド固定装置６０を、島台５０の後方に移動させて後方規制位置に停止させる際、下板５４、上板３４の貫通孔５４ａ、３４ａ内に位置しているので、その結果、スライド固定装置６０の移動に支障することがない。同様に、スロットマシーン１が島台５０に設置されていない状態においても、押圧板８３は、上板３４の貫通孔５４ａ、３４ａ内に位置しているので、その結果、押圧板８３が何らかの原因で損傷してしまうことを防止できる。
【０１０５】
（７）スロットマシーン１の前扉２０を開放したとき、前扉２０の重みによりスロットマシーン１が前側に傾斜した場合であっても、スロットマシーン１の背面板２６に下部固定装置７０の係止爪７５ａ、７５ｂが食い込むので、その結果、スロットマシーン１が前側に転倒して島台５０から外れてしまうことを防止できる。特に、本実施形態のように、前扉２０側にリール装置１４や主基板２２が設けられるスロットマシーン１では、前扉２０の重量が重くなり、さらに有効である。
【０１０６】
（８）下部固定装置７０の押圧板７４及びスライド本体部６５の後板６１は、その左右の長さが前板５９より短く、且つ平面板５８の右寄りに配置されているので、その結果、スロットマシーン１裏面の定位置に突出して設けられるスピカー装置等の機器との緩衝を回避することができる。
【０１０７】
以上、本考案の実施形態に係わる島台１を図面に基づいて説明してきたが、具体的な構成は実施形態に示したものに限定されるものではなく、本考案の要旨を逸脱しない範囲における変更や追加などがあっても本考案に含まれる。
【０１０８】
例えば、上述した実施形態においては、スロットマシーン１は、前扉２０が閉じた状態でも底板２４の前端部２４ａの下部が露出するものを示したが、これは、前扉２０が閉じた状態で底板２４の前端部２４ａが全て遮蔽されるものであってもよい。このようなスロットマシーン１であっても、スライド固定装置６０の係合突起５９ａは十分に薄い平板状に形成されているので、前扉２０が閉じた状態で係合突起５９ａは、前端部２４ａと前扉２０の間で挟持されるように位置し、係合突起５９ａにより前扉２０の開閉に支障することはない。
【０１０９】
また、上述した実施形態では、上部固定装置８０によりスロットマシーン１の上部側を固定するようにしたが、この上部固定装置８０を省略するようにしてもよい。ただし、この場合には、スロットマシーン１の上端面と島台５０の上板３４の下面の間の隙間は、ほとんど無くすように形成するのがよい。つまり、スロットマシーン１を固定したスライド固定装置６０を島台５０の前後方向に移動したとき、スロットマシーン１の上端面と島台５０の上板３４の下面とが僅かに接触する程度が好ましい。このようにすれば、スライド固定装置６０の移動に支障を来すこともない。
【０１１０】
また、下部固定装置７０の押圧板７４には、その左右両端及び中央に３つの係止爪７５ａ、７５ｂを設けるようにしたが、この係止爪７５ａ、７５ｂは、その数や互いの間隔は、上述した実施形態に限らず、適宜設定するようにすればよい。
【符号の説明】
【０１１１】
１…スロットマシーン、  ２ａ、２ｂ、２ｃ…リール、
５…ホッパー、  ６…電源装置
７…集中端子板、  ８…中継基板、
１０…本体枠、  １２ａ、１２ｂ、１２ｃ…表示窓、
１３…メダル投入口、  １４…リール装置、
１５…スタートレバー、  １６…ストップスイッチ、
１７…切替スイッチ、  １８…投入スイッチ、
１９…装飾パネル、  ２０…前扉、
２１…メダル貯留皿、  ２２…主基板、
２３…上板、  ２４…底板、
２４ａ…前端部、  ２５ａ、２５ｂ…側板、
２６…背面板、  ２８…底板、
２９ａ、２９ｂ…横桟、  ３０…サイドカバー、
３１…横桟、  ３２…腰板、
３２ａ…突出片、  ３３ａ、３３ｂ…支柱、
３４…上板、  ３４ａ…貫通孔、
３５…天板、  ３５ａ…玉箱載置部材、
３５ｂ…座板、  ３５ｃ…挿通孔、
３５ｄ…回収孔、  ３５ｅ…回収孔、
３６…支持枠、  ３７…右側板、
３８…玉箱ボックス、  ３８ａ…右側板、
３９…下板、  ４０…遊技機設置空間、
４１…ビス、  ４４…Ｌ字金具、
４６…アンカーボルト、  ５０…島台、
５１…上ユニット、  ５２…上板、
５３…側板、  ５４…下板、
５４ａ…貫通孔、  ５５…幕板、
５６…機器設置部、  ５７…円形孔、
５８…平面板、  ５８ａ…覆い部、
５８ｂ…後端、  ５９…前板、
５９ａ…係合突起、  ６０…スライド固定装置、
６１…後板、  ６２…Ｌ字金具、
６３…スライド機構、  ６４…レール部材、
６５…スライド本体部、  ６６…回収孔、
６７…ナット部、  ７０…下部固定装置、
７１…挿通孔、  ７２…Ｌ字金具、
７２ａ…下面、  ７２ｂ…挿通孔、
７３…固定ボルト、  ７３ａ…頭部、
７３ｂ…軸部、  ７４…押圧板、
７４ａ…上部折返片、  ７４ｂ…下部折曲片、
７４ｃ…基板、  ７４ｄ…取付部、
７５ａ…係止爪、  ７５ｂ…係止爪、
８０…上部固定装置、  ８１…座板、
８１ａ…ネジ穴、  ８２…固定ボルト、
８２ａ…頭部、  ８２ｂ…軸部、
８３…押圧板、  ９０…ストッパー装置、
９１…固定ピン、  ９１ａ…頭部、
９１ｂ…軸部、  ９２…固着部材、
９３…係合部、  ９３ａ…切欠部、
９４…ツマミ部、  ９５…係合部、
９５ａ…係止片
【図１】
0003178442.tif 000003
【図２】
0003178442.tif 000004
【図３】
0003178442.tif 000005
【図４】
0003178442.tif 000006
【図５】
0003178442.tif 000007
【図６】
0003178442.tif 000008
【図７】
0003178442.tif 000009
【図８】
0003178442.tif 000010
【図９】
0003178442.tif 000011
【図１０】
0003178442.tif 000012
【図１１】
0003178442.tif 000013
【図１２】
0003178442.tif 000014